(57)【特許請求の範囲】
【請求項１】
商用電源を整流して得られる単方向電源等を半導体スイッチング素子で高周波スイッチングして高周波電源に変換するインバータ回路と、  その１次側に前記高周波電源が印加され、２次側の出力は高圧整流回路を介してマグネトロンを付勢するリーケージ型高圧トランスを有するマグネトロン駆動用電源において、前記リーケージ型高圧トランスの漏れ磁束を拾うピックアップコイルと、前記ピックアップコイルの出力にて発光する発光素子とを有するマグネトロン駆動用電源の動作確認装置。
【請求項２】
発光素子を複数個有し、リーケージ型高圧トランスの漏れ磁束量に応じて発光させる素子数を切り替えるように構成した請求項１に記載のマグネトロン駆動用電源の動作確認装置
【請求項３】
発光素子を複数個有し、リーケージ型高圧トランスの漏れ磁束量に応じて発光させる素子を切り替えるように構成した請求項１に記載のマグネトロン駆動用電源の動作確認装置。
【請求項４】
複数色の発光素子を有し、リーケージ型高圧トランスの漏れ磁束量に応じて発光色を切り替えるように構成した請求項１に記載のマグネトロン駆動用電源の動作確認装置。
【請求項５】
複数色の発光素子を有し、リーケージ型高圧トランスの漏れ磁束量に応じて発光色の組合せを切り替えるように構成した請求項１に記載のマグネトロン駆動用電源の動作確認装置。
【請求項６】
マグネトロン駆動用電源に保持部を介して着脱可能な構成とした請求項１〜５のいずれか１項に記載のマグネトロン駆動用電源の動作確認装置。
【請求項７】
マグネトロン駆動用電源に組み込み型とした請求項１〜５のいずれか１項に記載のマグネトロン駆動用電源の動作確認装置。
【発明の詳細な説明】
【０００１】
【発明の属する技術分野】
本発明は、電子レンジなどのマグネトロンを負荷とするマグネトロン駆動用電源の動作確認装置に関するものである。
【０００２】
【従来の技術】
マグネトロン駆動用電源について図面を用いて説明する。図１３は従来から使用されているマグネトロン駆動用電源１の一般的な回路図であり、商用電源２を一旦ダイオードブリッジ３で直流電圧４に変換し、この直流電圧４を半導体スイッチ素子５のオンオフによってインバータ回路６はリーケージ型高圧トランス７の１次巻線に高周波電圧を印加し、リーケージ型高圧トランス７は２次巻線に高周波高電圧を励起する。この高周波高電圧は高圧整流回路８によって直流高電圧９に整流され、マグネトロン１０に印加される。マグネトロン１０はこの直流高電圧９で駆動され、２４５０MHzの電波を発生する。
【０００３】
しかしマグネトロン１０は直熱型二極真空管構造のため、そのカソード（ヒータ）が所定温度に到達して電子が放出されるまでは、図１４の（ａ）に示されるようにそのアノード電流１１が流れず、リーケージ型高圧トランス７の２次側は負荷が無く開放に近い状態になる。
【０００４】
したがってインバータ回路６が停止状態からスイッチング動作を開始して直流高電圧９のアノード電流１１が流れ出すまでの期間は、図１４の（ｂ）に示されるように入力電流１２を低く制御して過大電圧印加を防止しつつ、カソードを加熱する起動制御により、図１４の（ｃ）に示されるようにマグネトロン１０に印加される直流高電圧９は約７kVと高い値になる。
【０００５】
アノード電流１１が流れ出すと、マグネトロン１０のアノードカソード間に所定の電圧以上が印加されないとアノード電流１１が流れないような非線形な電圧電流特性により前記直流高電圧９は約４kV以上の部分がカットされたような波形になる。
【０００６】
前記したようにマグネトロンは起動制御時の無負荷状態と定常制御時の有負荷状態があり、かつこの有負荷状態においても非線形な電圧電流特性を示すので、マグネトロン駆動用電源をこのような急激な負荷変動に対応させるために、高圧トランスはリーケージ型が用いられる。
【０００７】
商用電源２からの入力電流１２は、図１４の（ｂ）に示されるように前記アノード電流１１が流れていない期間は起動制御により小さい値に、流れている期間は入力電流制御、入力電力制御、アノード電流制御等の定常制御により所定の値になる。
【０００８】
従来、このような停止状態、起動制御状態、定常制御状態へと動作の移行が確実になされていることを、図１５に示されるよう商用電源２からの入力電流１２は交流電流計１３を、マグネトロン１０に印加される直流高電圧９は高電圧プローブ１４とオシロスコープ１５を用いて確認・検査していた。
【０００９】
【発明が解決しようとする課題】
しかし、市場サービス等におけるマグネトロン駆動用電源１の動作確認・検査に、交流電流計１３、高電圧プローブ１４、オシロスコープ１５を用いるのは、これらの計測器を接続する時間ロス、および大きさ、重さ等にまつわる運搬の容易さが課題になっている。
【００１０】
本発明は前記従来の課題を解決するもので、動作確認を特別な計測器を用いずに容易にできるマグネトロン駆動用電源の動作確認装置を提供することを目的としている。
【００１１】
【課題を解決するための手段】
前記従来の課題を解決するために、商用電源２を整流して得られる単方向電源等を半導体スイッチ素子５で高周波スイッチングして高周波電源に変換するインバータ回路６と、前記高周波電源がその１次側に印加され、２次側の出力は高圧整流回路８を介してマグネトロン１０を付勢するリーケージ型高圧トランス７よりなるマグネトロン駆動用電源１に対し、本発明はリーケージ型高圧トランス７の漏れ磁束を拾うピックアップコイルと、ピックアップコイルの出力にて発光する発光素子とを具備する構成のマグネトロン駆動用電源の動作確認装置としている。
【００１２】
このように構成することで、リーケージ型高圧トランス７の漏れ磁束はマグネトロン駆動用電源への入力電力を反映しているので、この漏れ磁束を拾うピックアップコイルの出力に応じて変化する発光素子の発光状態から、マグネトロン駆動用電源の動作確認が目視にて行え、市場サービス等が容易になる。
【００１３】
【発明の実施の形態】
請求項１に記載の発明は、リーケージ型高圧トランス７の漏れ磁束を拾うピックアップコイルと、ピックアップコイルの出力にて発光する発光素子とを具備する構成とし、リーケージ型高圧トランス７の漏れ磁束は商用電源２からの入力電力に応じて変化するので、これに対応する発光素子の発光状態からマグネトロン駆動用電源１の動作確認が目視にて行え、市場サービス等が容易になる。
【００１４】
請求項２または３に記載の発明は、発光素子を複数個有し、リーケージ型高圧トランス７の漏れ磁束量に応じて発光させる素子、または発光させる素子数を切り替えるように構成しているので、マグネトロン駆動用電源１の動作確認がより容易になる。
【００１５】
請求項４または５に記載の発明も同様に、複数色の発光素子を有し、リーケージ型高圧トランス７の漏れ磁束量に応じて発光色、または発光色の組合せを切り替えるように構成しているので、マグネトロン駆動用電源１の動作確認がより容易になる。
【００１６】
請求項６に記載の発明は、動作確認装置をマグネトロン駆動用電源１に保持部を介して着脱可能な構成とすることで製品のコストアップを伴わずに、市場サービス等が容易になる。
【００１７】
請求項７に記載の発明は、動作確認装置をマグネトロン駆動用電源１に組み込み型とすることで、より短時間に、かつ容易に市場サービス等が行える。
【００１８】
【実施例】
以下、本発明の実施例について、図面を参照しながら説明する。
【００１９】
（実施例１）
本発明の実施例１について図１から図２を用いて説明する。図１は実施例１のマグネトロン駆動用電源の動作確認装置１６とマグネトロン駆動用電源１を示す回路図である。なお、従来例と名称および機能が同じ部分に付いては同一符号を用いている。
【００２０】
１は、商用電源２を整流して得られる単方向電源等を半導体スイッチ素子５で高周波スイッチングして高周波電源に変換するインバータ回路６と、  その１次側に前記高周波電源が印加され、２次側の出力は高圧整流回路８を介してマグネトロン１０を付勢するリーケージ型高圧トランス７を有するマグネトロン駆動用電源である。１６は、このリーケージ型高圧トランス７の漏れ磁束１７を拾うピックアップコイル１８と、ピックアップコイル１８の出力にて発光する発光素子１９とで構成されるマグネトロン駆動用電源の動作確認装置である。
【００２１】
前記したように、正常動作における商用電源２からの入力電流１２は、図１４の（ｂ）に示されるようにマグネトロン１０のアノード電流１１が流れていない期間は起動制御により小さい値に、流れている期間は定常制御により所定の値に制御される。また、インバータ回路６の動作停止時は、その値はわずかである。
【００２２】
この入力電流１２の大きさに対応してリーケージ型高圧トランス７の漏れ磁束１７は変化するので、この磁束を拾うピックアップコイル１８の出力も同様に変化する。したがって、その出力が接続される発光素子１９の明るは、図２の（ａ）に示されるようにマグネトロン駆動用電源１の動作が停止しているときは暗く、起動制御時は明るく、定常制御時はより明るくと、その動作が移行するにしたがって変化するので、マグネトロン駆動用電源１の動作はこの明るさの変化にて確認できる。
【００２３】
次に異常動作時について記述する。例えばインバータ回路６が故障して動作しないときは、発光素子１９は暗い状態のままであり、またマグネトロン１０が不良の場合は起動制御から定常制御に移行しないので、図２の（ｂ）に示されるように発光素子１９は起動制御時の明るさを保ち続ける。したがってマグネトロン駆動用電源１の異常動作も、この明るさの変化にて確認できる。
【００２４】
（実施例２）
図３は実施例２におけるマグネトロン駆動用電源１の動作確認装置２０の回路図である。この回路構成においては前述の実施例１に加えて複数個の発光素子２１を有し、発光素子２１に接続した抵抗２２に重み付けすることで、ピックアップコイル１８が拾うリーケージ型高圧トランス７の漏れ磁束量に応じて発光させる素子数を切り替える構成となっている。
【００２５】
このように構成することで、マグネトロン駆動用電源１の動作移行に従い、停止時は発光する素子はなく、起動制御時は図４の（ａ）に示されるように第１の発光素子グループ２３が、定常制御は（ｂ）に示されるように第２の発光素子グループ２４がリーケージ型高圧トランス７の漏れ磁束量すなわちマグネトロン駆動用電源の入力電力に応じて発光素子数を変えつつ点灯する。
【００２６】
したがって、マグネトロン駆動用電源の動作移行は点灯する発光素子２１の数変化にて確認できる。
【００２７】
また、異常時は実施例１同様インバータ回路６が故障して動作しないときは、発光素子２１は暗い状態のままであり、またマグネトロン１０が不良の場合は起動制御から定常制御に移行しないので、図４の（ａ）に示される第１の発光素子グループ２３が点灯する状態を保ち続ける。したがってマグネトロン駆動用電源１の異常動作も、点灯する発光素子２１の数情報にて確認できる。
【００２８】
（実施例３）
図５は実施例３におけるマグネトロン駆動用電源１の動作確認装置２５の回路図である。この回路構成においては前述の実施例１に加えて複数個の発光素子２６を有し、発光素子２６の通電を制御するトランジスタ２７とそれに接続される重み付けした抵抗２８とダイオード２９のＯＲ回路により、ピックアップコイル１８が拾うリーケージ型高圧トランス７の漏れ磁束量に応じて発光させる発光素子２６を切り替えるようにした構成となっている。
【００２９】
このように構成することで、マグネトロン駆動用電源１の動作移行に従い、停止時は発光する素子はなく、起動制御時は図６の（ａ）に示されるように第１の発光素子グループ３０の少なくともひとつの素子が、定常制御は（ｂ）に示されるように第２の発光素子グループ３１のなかの少なくともひとつの素子が点灯する。
【００３０】
したがって、マグネトロン駆動用電源１の動作移行は点灯する発光素子２６の位置変化にて確認できる。
【００３１】
また、異常時は実施例１同様インバータ回路６が故障して動作しないときは、発光素子２６は暗い状態のままであり、またマグネトロン１０が不良の場合は起動制御から定常制御に移行しないので、図６の（ａ）に示される第１の発光素子グループ３０の少なくともひとつの素子が点灯する状態を保ち続ける。したがってマグネトロン駆動用電源１の異常動作も、点灯する発光素子２６の位置情報にて確認できる。
【００３２】
（実施例４）
図７は実施例４におけるマグネトロン駆動用電源１の動作確認装置３２の回路図である。この回路構成においては前述の実施例１に加えて複数色の発光素子３３を有し、発光素子３３の通電を制御するトランジスタ３４とそれに接続される重み付けした抵抗３５とダイオード３６のＯＲ回路により、ピックアップコイル１８が拾うリーケージ型高圧トランス７の漏れ磁束量に応じて発光させる素子、すなわち発光色を切り替えるようにした構成となっている。
【００３３】
このように構成することで、マグネトロン駆動用電源１の動作移行に従い、停止時は発光する素子はなく、起動制御時は図８の（ａ）に示されるように発光色３３ａの発光素子が、定常制御は（ｂ）に示されるように発光色３３ｂから３３ｄのいづれかの発光素子が点灯する。
【００３４】
したがって、マグネトロン駆動用電源の動作移行は点灯する発光素子の色変化にて確認できる。
【００３５】
また、異常時はインバータ回路６が故障して動作しないときは、発光素子３３は暗い状態のままであり、またマグネトロン１０が不良の場合は起動制御から定常制御に移行しないので、図８の（ａ）に示される発光色３３ａの発光素子が点灯する状態を保ち続ける。したがってマグネトロン駆動用電源１の異常動作も、この発光素子の色情報にて確認できる。
【００３６】
図７では複数個の発光素子を用いているが、この複数色の発光素子は一体型であってもよい。
【００３７】
（実施例５）
図９は実施例５におけるマグネトロン駆動用電源１の動作確認装置３７の回路図である。この回路構成においては前述の実施例１に加えて複数色の発光素子３８を有し、発光素子３８に接続した抵抗３９に重み付けすることで、ピックアップコイル１８が拾うリーケージ型高圧トランス７の漏れ磁束量に応じて発光させる素子の組合せ、すなわち発光色の組合せを切り替えるようにした構成となっている。
【００３８】
このように構成することで、マグネトロン駆動用電源の動作移行に従い、停止時は発光する素子はなく、起動制御時は図１０の（ａ）に示されるように発光色３８ａの発光素子が、定常制御は（ｂ）に示されるように発光色３８ａと３８ｂの組合せ、あるいはさらに３８ｃを組合せた発光素子が点灯する。
【００３９】
したがって、マグネトロン駆動用電源１の動作移行は点灯する発光素子の色変化にて確認できる。
【００４０】
また、異常時はインバータ回路６が故障して動作しないときは、発光素子３８は暗い状態のままであり、またマグネトロン１０が不良の場合は起動制御から定常制御に移行しないので、図１０の（ａ）に示される発光色３８ａの発光素子が点灯する状態を保ち続ける。したがってマグネトロン駆動用電源１の異常動作も、この発光素子の色情報にて確認できる。
【００４１】
図９では複数個の発光素子を用いて説明したが、一体型で複数の発光色を有する発光素子の方が光学フィルタを内蔵しているので視認性等から現実的である。
【００４２】
また発光色３８ａは単一の発光素子としているが、複数の発光色の組合せであってもよい。
【００４３】
（実施例６）
図１１は実施例６におけるマグネトロン駆動用電源１の動作確認装置４０とマグネトロン駆動用電源１の構造図である。動作確認装置４０は保持部４１、４２を介してマグネトロン駆動用電源１に着脱可能な構成であり、図１１は取り外した状態を示す。
【００４４】
このように、必要に応じて動作確認装置４０をマグネトロン駆動用電源１に取りつけて、その動作を確認する形態とすることで、製品コストに直接影響しない。
【００４５】
（実施例７）
図１２は実施例７におけるマグネトロン駆動用電源１の動作確認装置４３の構造図である。動作確認装置４３はマグネトロン駆動用電源１に組込まれた構成としている。
【００４６】
このように、組込み構成にすることで時間ロスが減少するので短時間で動作確認がなされ、市場サービスがより容易に行える。
【００４７】
【発明の効果】
以上のように、本発明によれば、特別な計測器を用いずにマグネトロン駆動用電源の動作状態を、具備した発光素子の発光状態から容易に確認できるマグネトロン駆動用電源の動作確認装置を提供できる。
【図面の簡単な説明】
【図１】本発明の実施例１のマグネトロン駆動用電源の動作確認装置とマグネトロン駆動用電源を示す回路図
【図２】本発明の実施例１における動作確認装置の発光素子の明るさをマグネトロン駆動用電源の動作移行に対照させたタイムチャート
【図３】本発明の実施例２におけるマグネトロン駆動用電源の動作確認装置の回路図
【図４】本発明の実施例２における動作動作確認装置の発光素子の発光状態を示す図
【図５】本発明の実施例３におけるマグネトロン駆動用電源の動作確認装置の回路図
【図６】本発明の実施例３における動作動作確認装置の発光素子の発光状態を示す図
【図７】本発明の実施例４におけるマグネトロン駆動用電源の動作確認装置の回路図
【図８】本発明の実施例４における動作動作確認装置の発光素子の発光状態を示す図
【図９】本発明の実施例５におけるマグネトロン駆動用電源の動作確認装置の回路図
【図１０】本発明の実施例５における動作動作確認装置の発光素子の発光状態を示す図
【図１１】本発明の実施例６におけるマグネトロン駆動用電源の動作確認装置とマグネトロン駆動用電源の構造図
【図１２】本発明の実施例７におけるマグネトロン駆動用電源の動作確認装置とマグネトロン駆動用電源の構造図
【図１３】従来の一般的なマグネトロン駆動用電源の回路図
【図１４】従来のマグネトロン駆動用電源の各部信号の変化を、停止状態、起動制御状態および定常制御状態へと動作の移行に対照させたタイムチャート
【図１５】従来のマグネトロン駆動用電源の確認・検査の状態を示す図
【符号の説明】
１  マグネトロン駆動用電源
６  インバータ回路
７  リーケージ型高圧トランス
１０  マグネトロン
１６  動作確認装置
１７  漏れ磁束
１８  ピックアップコイル
１９  発光素子
２０  動作確認装置
２１  発光素子
２５  動作確認装置
２６  発光素子
３２  動作確認装置
３３  発光素子
３７  動作確認装置
３８  発光素子
４０  動作確認装置
４１、４２  保持部
４３  動作確認装置
【図１】
0003642307.tif 000002
【図２】
0003642307.tif 000003
【図３】
0003642307.tif 000004
【図４】
0003642307.tif 000005
【図５】
0003642307.tif 000006
【図６】
0003642307.tif 000007
【図７】
0003642307.tif 000008
【図８】
0003642307.tif 000009
【図９】
0003642307.tif 000010
【図１０】
0003642307.tif 000011
【図１１】
0003642307.tif 000012
【図１２】
0003642307.tif 000013
【図１３】
0003642307.tif 000014
【図１４】
0003642307.tif 000015
【図１５】
0003642307.tif 000016